(57)【要約】【課題】  いか釣り針の投入を迅速に行えるようにするとともに、いか釣り針をセットした後でも自由に動かすことができる、いか釣り針を釣り竿に保持する装置を提供する。【解決手段】  釣り糸に結ばれた複数個のいか釣り針を釣り竿に着脱自在に保持するための装置について、釣り竿１１を挟んで取り付けるピンチ型の挟持具１９と、挟持具１９の軸部に軸周りに回転可能に設けた、挟持具１９よりも幅広の部分を有する可動枠２１と、可動枠２１の任意の部分に複数個ずつ設けた磁気保持部２５とを具備して成り、釣り糸１２の先に取り付けた重り２４を水中に投じることにより、その重みで、磁気保持されていたいか釣り針１５が順次離れて投入されるようにする。可動枠２１は、挟持具２１よりも幅広の張り出し部２３を有し、その張り出し部２３が透明材料によって形成されている。【選択図】          図１
2006075087.tif 000002
【特許請求の範囲】
【請求項１】
釣り糸に結ばれた複数個のいか釣り針を釣り竿に着脱自在に保持するための装置であっ
て、釣り竿に挟んで取り付けるピンチ型の挟持具と、挟持具の軸部に軸回りに回転可能に設けた、挟持具よりも幅広の部分を有する可動枠と、可動枠の任意の部分に複数個ずつ設けた磁気保持部とを具備して成り、釣り糸の先に取り付けた重りを水中に投じることにより、その重みで、磁気保持されていたいか釣り針が順次離れて投入されるように構成されたいか釣り針を釣り竿に保持する装置。
【請求項２】
可動枠は、挟持具よりも幅広の張り出し部を有し、その張り出し部が透明材料によって形成されている請求項１記載のいか釣り針を釣り竿に保持する装置。
【請求項３】
磁気保持部の磁気保持力は、いか釣り針の自重よりも十分に大きく、水中に投じた重りによる引き込み荷重よりは小さい値に設定されている請求項１記載のいか釣り針を釣り竿に保持する装置。
【発明の詳細な説明】
【技術分野】
【０００１】
本発明は、釣り糸に結ばれた複数個のいか釣り針を釣り竿に着脱自在に保持するための装置に関するものである。
【背景技術】
【０００２】
いか釣り用の釣り針は傘骨状をしており、それを軸の先端に固定し、軸の他端を釣り糸に結んで使用するもので、軸は擬餌として機能する。このような擬餌針は舷側に配置し
て、漁場に到着後重りを海中に投入するに伴い仕掛けられことになるが、舷側に配置してある間に絡まないようにしなければならず、また海中への投入の際には釣り針を１個ずつ繰り出す必要があり、取り扱いに注意を要する。
【０００３】
これに対し、特開２００３-２３９４０号の発明では、複数のイカ釣り針を一列に整列して保持し、かつ一動作で簡単に外すことができるように、イカ釣り針を吸着するマグネットを船縁にクランプ固定したアームに設けている。しかしながら、この方式も舷側にイカ釣り針を配置するものであり、その位置に固定されるから、自由に動くことができず、絡み合いを防止できないとか、他船等の釣り糸と干渉の危険があってもそれを回避することが容易には行えないという問題があった。
【０００４】
【特許文献１】特開２００３-２３９４０号
【発明の開示】
【発明が解決しようとする課題】
【０００５】
本発明は前記の経緯に着目してなされたものであり、その課題は、いか釣り針の投入を迅速に行えるようにすることである。また本発明の他の課題は、いか釣り針をセットした後でも自由に動かすことができる、いか釣り針を釣り竿に保持する装置を提供することである。
【課題を解決するための手段】
【０００６】
前記の課題を解決するため、本発明は、釣り糸に結ばれた複数個のいか釣り針を釣り竿に着脱自在に保持するための装置について、釣り竿に挟んで取り付けるピンチ型の挟持具と、挟持具の軸部に軸回りに回転可能に設けた、挟持具よりも幅広の部分を有する可動枠と、可動枠の任意の部分に複数個ずつ設けた磁気保持部とを具備して成り、釣り糸の先に取り付けた重りを水中に投じることにより、その重みで、磁気保持されていたいか釣り針が順次離れて投入されるように構成するという手段を講じたものである。
【０００７】
いか釣り針は、鉄製のもので、Ｖ字状ないしＵ字状に曲げたものを軸体の先端に固定
し、軸体の他端に釣り糸を結んで使用する。軸体には任意の形態や色彩が与えられてい
て、擬餌を形成していることが望ましい。本発明は、いか釣りにおいて、釣り竿を使用することを可能とし、それによっていか釣り針をセットした後でも船上で自由に動いて場所を変えられるようにすることを、一つの目的としている。
【０００８】
本発明に係る装置は、釣り竿に対する取り付け手段としての挟持具と、釣り針を磁気で吸着する手段としての磁気保持部と、磁気保持部を取り付ける対象となる可動枠とを有している。この内、挟持具は釣り竿を挟んで固定するもので、ピンチ型つまり洗濯ばさみ型の開閉構造を持っていることにより、釣り竿への取り付けと取り外しが容易なものとな
る。挟持具の開閉の軸部には、軸回りに回転可能に可動枠を設ける。軸部は開閉の中心となる軸のことであるから、実際に軸状の部分があるかどうかは重要ではなく、軸無しのピンチにも可動枠を設けることができる。
【０００９】
なお、ピンチ型の挟持具について、挟持片２個の内一方は平面でも良いが、他方は竿周面に沿うような彎曲形状を有することが望ましい。挟持具の釣り竿に対する接触性が良好となり使い易いと考えられるからである。しかし釣り竿との接触面にはすべり止め構造となっている方が良い。取り付け枠は挟持具に対してきつく回転可能となっていることが望ましく、それによって任意の回転位置にて取り付け枠を固定することができるからであ
る。
【００１０】
可動枠は、釣り竿に対する角度を変化できるように、軸回りに回転可能に挟持具の軸部に取り付けられる。可動枠は、挟持具に取り付けた状態において、挟持具の左右に張り出す部分を有するものとする。この張り出し部分は、透明であることが望ましく、その方がイカズノを見やすいという効果を期待することができる。可動枠には、前記の磁気保持部が複数個設けられる。磁気保持部とは、いか釣り針を磁気で保持する部分という意味であり、具体的にはいわゆる永久磁石を使用する。従って、可動枠には磁石片を２個以上固定することになる。
【発明の効果】
【００１１】
本発明は以上の如く構成されかつ作用するものであるから、いか釣り針を磁気保持部に吸着保持することができ、釣り糸の先に取り付けた重りを水中に投じることにより、その重みで、磁気保持されていたいか釣り針が順次離れ、従っていか釣り針の投入を迅速に行うことができる。また、いか釣りをセットした後でも、船上で自由に位置を変えることができ、釣り糸の絡まり等を防止することが可能になる。
【発明を実施するための最良の形態】
【００１２】
以下図示の実施形態を参照して本発明をより詳細に説明する。図１は本発明に係るいか釣り針を釣り竿に保持する装置１０の実施の１例を示しており、１１は釣り竿、１２は釣り糸、１５はいか釣り針を示す。いか釣り針１５は、任意の形態と色彩が与えられた軸体１３の先端にほぼＶ字状に曲げた針１４を、針先が軸体１３の基端側に来るように複数個放射状に取り付けて針集合体としたものを１段又は複数段設けた構成を有しており、１メートル内外の間隔で釣り糸１２に結び付けられている。
【００１３】
挟持具１９は、いか釣り針１５を釣り竿１１に保持しておくためのもので、釣り竿１１を挟むことによってそれ自体の取り付けを行うための１対の挟持片１６、１７を有し、それらを中間の軸部にて開閉可能に組み合わせ、かつ先端の挟持部を閉じる方向にばね１８を取り付けた構造を有している。なお、一方の挟持片１７は竿外周に沿うように彎曲させた形状を有する（図３参照）。例示の挟持具１９は、開閉軸部に嵌め合わされている可動枠２１の軸部２２を挟持し、可動枠２１が挟持具１９に対してきつく回転可能であるように設けられている。可動枠２１の軸部２２は、挟持片１６、１７の軸受部との接触部における摩擦係数と挟持片１６、１７を閉じるばね１８の強力なばね定数とによって、可動枠２１の軸周りの位置を任意に選択しかつ固定することができる。
【００１４】
可動枠２１は、その先端側に軸部２２と平行な方向に伸びて挟持具１９の左右に張り出す張り出し部２３を有しており、そのため正面から見ると本発明の装置にほぼＴ字型の外形を与えている（図２）。可動枠２１と張り出し部２３とは一体のものであるが、張り出し部２３のみ透明材料より成っている。このような張り出し部２３に磁気保持部２５として永久磁石を２個、間隔をあけて固定している。磁気保持部２５である永久磁石はいか釣り針１５を針１４との接触で十分に磁気保持できる程度に強力な磁力を有しているので、本装置１０を取り付けたまま釣り竿１１を持って船上を移動する際に生じる程度の振動では、いか釣り針１５を落としてしまうことはない。しかし、いか釣り針１５のセットのために、重り２４を水中に投じたときにはその重さと水の抵抗から成る荷重によって、いか釣り針１５は磁気保持部２５から順次離され、海中に投入される状態となる。つまり、磁気保持部２５の磁気保持力はいか釣り針１５の自重よりは十分大きく、海中に投じた重りによる引き込み荷重よりは小さい。
【００１５】
このように構成された本発明の装置１０は、釣り竿１１に挟持具１９によって挟んで、必要数を図１に示すように取り付け、各装置１０の磁気保持部２５…にいか釣り針１５の針１４の部分にて磁気吸着させ、全てのいか釣り針１５を直列に配置することができる。いか釣り針１５は、引けば磁気保持部２５から離れ、針１４を近付ければ吸着する着脱自在な状態にあり、その磁気保持力は上述した関係にあるので、重り２４を海中に投入する前の段階では釣り竿１１を持ったまま自由に移動することができる。釣り竿１１は舷側に備え付けられている竿保持装置に、装着することもある。また、挟持具１９の可動枠２１を軸部２２を中心に回転させることによって、磁気保持部２５と釣り竿１１との間隔を大小変化させることができ（図５参照）、隣接する装置同士の位置関係を変化させることができるので、釣り針同士が絡まずに離れるように前もって準備をすることができる。
【図面の簡単な説明】
【００１６】
【図１】本発明に係るいか釣り針を釣り竿に保持する装置の実施形態の１例を示す要部斜視図。
【図２】同上の装置の正面図。
【図３】同じく側面図。
【図４】同じく斜視図。
【図５】同上の装置と釣り竿及びいか釣り針との関係を示す側面図。
【符号の説明】
【００１７】
１０  本発明に係る装置
１１  釣り竿
１２  釣り糸
１３  軸体
１４  針
１５  いか釣り針
１６、１７  挟持片
１８  ばね
１９  挟持具
２１  可動枠
２２  軸部
２３  張り出し部
２４  重り
２５  磁気保持部
【図１】
2006075087.tif 000003
【図２】
2006075087.tif 000004
【図３】
2006075087.tif 000005
【図４】
2006075087.tif 000006
【図５】
2006075087.tif 000007